(57)【要約】      （修正有）【課題】スライドレールキットの取付構造を提供する。【解決手段】第一レールと第二レール１２と定位部材１４とロック解除部材１６とを含み、第二レールはガイド座２０と外掛装置の取付部材を嵌入するための取付溝を備え、定位部材は基部２４、アーム板２６、端板２８を含み、基部は第二レールに固定し、アーム板は取付溝に対応する定位孔３０を備え、取付部材を定位孔と取付溝内に定位し、端板は貫通穴３２を備える。さらに、端部３４は端板の一端から第二レール方向に延伸し一定角度で屈曲し、ロック解除部材は第二レールに取り付け、貫通穴３２に挿入する押圧凸体４８を設け、ロック解除部材は外力で押されて移動し、従動されるロック解除部材は第二レールのガイド座を圧して一時的に定位し、ロック解除部材の押圧凸体は定位部材の端板の端部を上方に圧するため、定位孔は第二レールから離れることで外掛装置の取付部材は定位孔から離脱しロックは解除される。【選択図】図２
0003180814.tif 000002
【実用新案登録請求の範囲】
【請求項１】
第一レールと、
第一レールにスライド可能状態で連結し、ホール、ガイド座、及び少なくとも一つの第一取付溝と第二取付溝とを含む第二レールと、
基部、アーム板、及び端板を含み、そのうち、基部は第二レールに固定し、アーム板は基部と端板の間に連接させ、アーム板は第二レールの第一取付溝に対応する定位孔を備え、端板は貫通穴と端部を備え、該端部は端板の一端から第二レール方向に延伸し一定角度に屈曲する定位部材と、
収納部、連接板、及び操作部を含み、そのうち、収納部には窪んだ収納面と、収納面から延伸する押圧凸体を設け、連接板は、収納部と操作部間に延伸し、連接板と収納部との共同でガイド孔を形成し、並びに、固定部品をガイド孔に貫通してロック解除部材を第二レールに取り付け、ロック解除部材の収納部を第二レールのホール内に延伸させて配置するロック解除部材とを含むスライドレールキットの取付構造において、
そのうち、定位部材の端板はロック解除部材の収納面を押圧し、ロック解除部材の押圧凸体は端板の貫通穴に挿入し、ロック解除部材の操作部は外力によって押されて移動し、ロック解除部材の収納部は第二レールのホールに沿ってスライドシフトし、ロック解除部材の押圧凸体は定位部材の端板の端部を上方に押し、定位部材のアーム板の定位孔は支えられて第二レールから離れ、且つロック解除部材の操作部は弾性をもってシフトし、第二レールのガイド座を圧して止まることにより、ロック解除部材は一時的に定位することを特徴とするスライドレールキットの取付構造。
【請求項２】
前記アーム板の定位孔が対応する上、下壁体にはそれぞれ第二レールから離れる方に屈曲する翼状ガイド部を設けることを特徴とする請求項１に記載のスライドレールキットの取付構造。
【請求項３】
前記アーム板を第二レール上に密着させると、定位孔は第一取付溝にぴったり連接されることを特徴とする請求項１に記載のスライドレールキットの取付構造。
【請求項４】
前記アーム板の定位孔の孔壁には弓形に突出する押止部を設けることを特徴とする請求項３に記載のスライドレールキットの取付構造。
【請求項５】
前記ロック解除部材は一対のスライドブロックを備え、第二レールはスライドブロックを嵌入するための一対の長溝孔を備えることを特徴とする請求項１に記載のスライドレールキットの取付構造。
【請求項６】
前記ロック解除部材の押圧凸体は定位部材の端板の端部に相対する斜面を備えることを特徴とする請求項１に記載のスライドレールキットの取付構造。
【考案の詳細な説明】
【技術分野】
【０００１】
本考案は、スライドレールキットの取付構造に係り、特に外掛装置を迅速にスライドレールキットに取り付けて定位させる取付構造に関する。
【背景技術】
【０００２】
一般の外掛装置の、例えば引出し等の物品を伸縮スライドレールに結合する方式は、ねじ等の固定部品を用いて左、右スライドレールの二つの内側レールを木製引出し等物品の両側に固定するか、ボルト構造を金属製引出し等物品に設けて、スライドレールの対応挿入孔、挿入片に結合させるほか、現在すでに知られている従来技術の手段には、さらに便利な結合固定方式がみられ、これらの技術はコンピュータ用サーバーラック製品に応用されている。また、前記の関連技術は、特許文献１〜１１に示す通りである。
【０００３】
前述の背景技術において、それは引出し等の物品の両側の凸栓を引き掛けて定位させるための弾性片またはスイング片を、操作者が指や工具で持ち上げるか弾き動かしてシフトさせる必要があり、尚且つ、その弾性片やスイング片のシフト状態をずっと維持させてこそ、引出し等の物品の凸栓を定位箇所から移動できる。このような状況のもと、スライドレールをラック上に設置し直接引出し等の物品を取り外す時、片手で弾性片またはスイング片を持ち上げるか弾く状態を維持し、片手で引出し等の物品の凸栓を移動しなければならず、操作は非常に面倒、不便である。外掛装置がコンピュータのサーバーである時、装置は非常に重量があり、一人で着脱作業をするのは困難であるため、通常は二人の協力が必要となり、人力資源の運用に明らかに効果のないものとなる。
【０００４】
前述した従来技術の不便な箇所に鑑み、出願人は開発、改良を加え、特許文献１２の許可を受けた。本案の技術には内側レール(inner rail 1)、定位部材(positioning member 5)及びリリース部品(release member 6)を含む。その内、内側レールには少なくとも二つの取付溝孔(mounting holes 11)を設ける。定位部材の一端を内側レールの内側面に固定し、前記取付溝孔に対応する定位部材のもう一端には嵌合凸体(protruding bit 51)を設ける。内側レールの内側面に設けるリリース部品は、前記定位部材に相対してスライドシフトし、尚且つ上部を押圧する。これにより、定位部材の嵌合凸体は内側レールの内側面に相対して逆方向に移動するため、引出し等の物品の両側の凸栓を内側レールに取り付けるか内側レールから取り外すのを助ける。また、リリース部品は押されて移動し定位部材の嵌合凸体を押圧するのと同時に、リリース部品の延伸部(extension 65b)を利用して前端のプッシュブロック(push  block  66b)をスライドさせて定位部材の凸部(protrusion member 52b)を押圧する。これにより、押圧された定位部材は内側レールに沿って中間レール(middle rail 2b)に納められ、中間レールはリリース部品のプッシュブロックにぶつかり、延伸部が伝える働きによってリリース部品を元の位置に戻す。
【先行技術文献】
【特許文献】
【０００５】
【特許文献１】米国特許第4,331,369号明細書
【特許文献２】米国特許第5,632,542号明細書
【特許文献３】米国特許第6,123,314号明細書
【特許文献４】米国特許第6,209,979 B1号明細書
【特許文献５】米国特許第6,588,866 B2号明細書
【特許文献６】米国特許第6,601,933 B1号明細書
【特許文献７】米国特許第6,938,967 B2号明細書
【特許文献８】米国特許第6,948,691 B2号明細書
【特許文献９】米国特許第7,481,504 B2号明細書
【特許文献１０】米国特許第7,604,307 B2号明細書
【特許文献１１】米国特許出願早期公開第US 2004/0108797 A1号明細書
【特許文献１２】米国特許第7,661，778 B2号明細書
【考案の概要】
【考案が解決しようとする課題】
【０００６】
しかし、出願人の前記特許は当時一般に使用されているサーバー規格に適用するもので、その全体構造の設計では、リリース部品とプッシュブロック間の延伸部を比較的細長い形状にしているため、力を受け易く変形する心配があった。また、定位部材に設けた嵌合凸体の部位は内側レールの内側面から離れているため、比較的大きい設置空間が必要で、尚且つ定位部材は不当に持ち上げられたり圧せられたりして変形し易いという問題があった。さらに、前記定位部材、リリース部品、及び内側レールの配置関係は、現有する新開発されたサーバーの要求に符合せず、よって、前記問題点を解決するためのさらに良好な設計の提供が必然となった。
【課題を解決するための手段】
【０００７】
本考案は主に、外掛装置を迅速にスライドレールキットに取り付けて定位させ、且つ外掛装置をスライドレールキットから便利に取り外せるスライドレールキットの取付構造に関する。
【０００８】
本考案の一実施例において、スライドレールキットの取付構造は第一レールと、第一レールにスライド可能状態で連結する第二レールと、定位部材と、ロック解除部材とを含む。
【０００９】
そのうち、第二レールはホール、ガイド座、及び少なくとも一つの第一取付溝と第二取付溝とを含む。
【００１０】
前記定位部材は基部、アーム板、及び端板を含む。そのうち、基部は第二レールに固定し、アーム板は基部と端板の間に連接させ、アーム板には第二レールの第一取付溝に対応する定位孔を備える。端板には貫通穴と端部を備え、該端部は端板の一端から第二レール方向に延伸し一定角度に屈曲する。
【００１１】
ロック解除部材には収納部、連接板、及び操作部を設ける。そのうち、収納部には窪んだ収納面と、収納面から延伸する押圧凸体を設ける。連接板は、収納部と操作部間に延伸し、連接板と収納部との共同でガイド孔を形成する。また、固定部品をガイド孔に貫通してロック解除部材を第二レールに取り付け、ロック解除部材の収納部を第二レールのホール内に延伸させて配置する。
【００１２】
そのうち、定位部材の端板はロック解除部材の収納面を押圧し、ロック解除部材の押圧凸体は端板の貫通穴に挿入する。ロック解除部材の操作部は外力によって押されて移動し、ロック解除部材の収納部は第二レールのホールに沿ってスライドシフトする。ロック解除部材の押圧凸体は定位部材の端板の端部を上方に押し、定位部材のアーム板の定位孔は支えられて第二レールから離れ、尚且つロック解除部材の操作部は弾性をもってシフトし、第二レールのガイド座を圧して止まる。これにより、ロック解除部材は一時的に定位する。
【００１３】
最も好ましくは、アーム板の定位孔が対応する上、下壁体にはそれぞれ第二レールから離れる方に屈曲する翼状ガイド部を設ける。
【００１４】
最も好ましくは、アーム板を第二レール上に密着させると、定位孔は第一取付溝にぴったり連接される。
【００１５】
最も好ましくは、アーム板の定位孔の孔壁には弓形に突出する押止部を設ける。
【００１６】
最も好ましくは、ロック解除部材には一対のスライドブロックを備え、第二レールにはスライドブロックを嵌入するための一対の長溝孔を備える。
【００１７】
最も好ましくは、ロック解除部材の押圧凸体には定位部材の端板の端部に相対する斜面を備える。
【考案の効果】
【００１８】
本考案のスライドレールキットの取付構造は、外掛装置を迅速にスライドレールキットに取り付けて定位させ、尚且つ外掛装置をスライドレールキットから便利に取り外せる効果を有する。
【図面の簡単な説明】
【００１９】
【図１】本考案の好ましい実施例における外掛装置のラック上のスライドレールキットへの取付図である。
【図２】本考案の好ましい実施例の分解図である。
【図３】本考案の好ましい実施例の組立図である。
【図４】本考案の好ましい実施例において外掛装置をスライドレールに取り付ける際の対応関係を示す図である。
【図５】本考案の好ましい実施例において外掛装置をスライドレールに取り付ける際の組立状態を示す図である。
【図６】本考案の好ましい実施例におけるロック解除操作を示す図である。
【図７】本考案の好ましい実施例においてレール部材がロック解除部品を押圧して初期位置に戻ることを示す図である。
【考案を実施するための形態】
【００２０】
図１に示した本考案の好ましい実施例は外掛装置１０、例えばサーバー（ｓｅｒｖｅｒ）をラック上のスライドレールキットに取り付ける。図２及び図３にはスライドレールキットの取付構造の分解図及び組立図を示し、開示する実施例には第一レール１１と、第一レール１１にスライド可能状態で連結する第二レール１２と、定位部材１４と、ロック解除部材１６とを含む。
【００２１】
そのうち、第二レール１２にはホール１８、ガイド座２０、及び少なくとも一つの第一取付溝２２ａと第二取付溝２２ｂを含む。そのうち、ホール１８は第一取付溝２２ａに隣り合う。
【００２２】
前記定位部材１４は基部２４、アーム板２６、及び端板２８を含む。そのうち、基部２４は第二レール１２に固定させて取り付ける。アーム板２６は基部２４と端板２８の間に連接させ、アーム板２６は第二レール１２の第一取付溝２２ａに対応する定位孔３０を備える。最も好ましくは、アーム板２６を第二レール１２上に密着させると、定位孔３０は第一取付溝２２ａにぴったり連接される。端板２８は貫通穴３２と端部３４を備え、該端部３４は端板２８の一端から第二レール１２方向に延伸し一定角度に屈曲する。また最も好ましくは、アーム板２６の定位孔３０が対応する上、下壁体にはそれぞれ第二レール１２から離れる方に屈曲する翼状ガイド部３６を設ける。また、アーム板２６の定位孔３０の孔壁には弓形に突出する押止部３８を設け、該押止部３８は端板２８に隣り合う。
【００２３】
ロック解除部材１６には収納部４０、連接板４２、及び操作部４４を設ける。そのうち、収納部４０には窪んだ収納面４６と、収納面４６から延伸する押圧凸体４８を設ける。連接板４２は、収納部４０と操作部４４間に延伸し、連接板４２と収納部４０との共同でガイド孔５０を形成する。好ましい実施例において、ロック解除部材１６は、固定部品５２をガイド孔５０に貫通して第二レール１２に取り付け、尚且つロック解除部材１６の収納部４０は第二レール１２のホール１８内に延伸させて配置する。好ましい実施例において、ロック解除部材１６には一対のスライドブロック５４を備え、第二レール１２にはスライドブロック５４を嵌入するための一対の長溝孔５６を備える。
【００２４】
定位部材１４とロック解除部材１６を第二レール１２に取り付ける時、初期位置は図３のように、定位部材１４の端板２８はロック解除部材１６の収納面４６を押圧し、ロック解除部材１６の押圧凸体４８は定位部材１４の端板２８の貫通穴３２を通って配置される。
【００２５】
図１と図４に示すとおり、前記外掛装置１０の一方側には少なくとも二つの第一取付部材５８と第二取付部材６０を別々に設置する。第一取付部材５８と第二取付部材６０の構造は同様とし、いずれにも頭部６２と頭部６２から延伸するボディ部６４とを備え、尚且つ頭部６２の直径はボディ部６４の直径より大きくする。第一取付部材５８の頭部６２を対応する第一取付溝２２ａに上から下に嵌入する時、アーム板２６の定位孔３０上方の翼状ガイド部３６は第一取付部材５８の頭部６２をスライドして圧することができるよう自動的にアーム板２６を押し動かす。第一取付部材５８と第二取付部材６０を第二レール１２の第一取付溝２２ａと第二取付溝２２ｂに嵌入した状態は、図５に示すとおりであり、定位部材１４のアーム板２６の定位孔３０に第一取付部材５８の頭部６２が挿入され、尚且つ突出した押止部３８が頭部６２を押圧してそれを定位させるため、外掛装置１０は工具を使用せずに迅速に第二レール１２上に取り付けられ、定位する。
【００２６】
図６には本考案の実施例のロック解除状態を示す。図に示すとおり、ロック解除部材１６の操作部４４は外力によって押されて移動し、ロック解除部材１６の収納部４０は第二レール１２のホール１８に沿ってスライドシフトする。ロック解除部材１６が予定位置までシフトすると、ロック解除部材１６の押圧凸体４８は定位部材１４の端板２８の端部３４を上方に押し、定位部材１４のアーム板２６の定位孔３０は支えられて第二レール１２から離れ、尚且つロック解除部材１６の操作部４４は弾性をもってシフトし、第二レール１２のガイド座２０上を圧して止まる。これにより、ロック解除部材１６は一時的に定位するため、さらに定位部材１４に力を加える必要がない。よって、第一取付部材５８の頭部６２は簡単に定位部材１４のアーム板２６の定位孔３０から離脱しロックが解除され、外掛装置１０の第一取付部材５８を第二レール１２の第一取付溝２２ａから取り外すことができる。そのうち、最も好ましくは、ロック解除部材１６の押圧凸体４８に備えた斜面６６が定位部材１４の端板２８の端部３４に相対するため、端板２８の端部３４は斜面６６に徐々に押されてスムーズに支えられる状態となる。
【００２７】
図７に示すとおり、外掛装置１０を第二レール１２上に取り付けて定位させる時、ロック解除部材１６の操作部４４が第二レール１２のガイド座２０を押圧する。まだ初期位置に戻っていない状態において、第二レール１２が第一レール１１に相対して収められる時、第一レール１１の端部が直接、ロック解除部材１６の操作部４４にぶつかり押圧し、従動するロック解除部材１６その初期位置に戻る。
【００２８】
前述したとおり、本考案は予め外掛装置とスライドレール間の定位状態を解除し、一人で外掛装置のロック解除及び取外しを操作でき、しかも、本考案の機構配置によって構成要素は変形を起こし難く、スライドレール内部の比較的小さい空間を占めるだけであり、機構の複雑なスライドレール製品への組み合わせに利便を図る。
【符号の説明】
【００２９】
１０：外掛装置、１１：第一レール、１２：第二レール、１４：定位部材、１６：ロック解除部材、１８：ホール、２０：ガイド座、２２ａ：第一取付溝、２２ｂ：第二取付溝、２４：基部、２６：アーム板、２８：端板、３０：定位孔、３２：貫通穴、３４：端部、３６：翼状ガイド部、３８：押止部、４０：収納部、４２：連接板、４４：操作部、４６：収納面、４８：押圧凸体、５０：ガイド孔、５２：固定部品、５４：スライドブロック、５６：長溝孔、５８：第一取付部材、６０：第二取付部材、６２：頭部、６４：ボディ部、６６：斜面。
【図１】
0003180814.tif 000003
【図２】
0003180814.tif 000004
【図３】
0003180814.tif 000005
【図４】
0003180814.tif 000006
【図５】
0003180814.tif 000007
【図６】
0003180814.tif 000008
【図７】
0003180814.tif 000009